(57)【要約】【課題】  著作権の問題を考慮しつつ、グループ内でのコンテンツの貸し借りを行うための仕組みを提供する。【解決手段】  個人鍵１５には、復号・暗号化情報５１と、付加情報５３である、コピー回数制限情報５３ａ、有効期間制限情報５３ｂと、視聴制限５３ｃと、鍵分割許可情報５３ｄとを含む情報と、電子署名５５とが記録されている。このうち、付加情報５３は、著作権者の許諾によって設定される情報である。個人鍵１５を用いることにより、コンテンツの利用制限を課すことができる。【選択図】  図５
2005149234.tif 000002
【特許請求の範囲】
【請求項１】
コンテンツを暗号化及び復号することができるコンテンツ鍵によりコンテンツを暗号化する第１ステップと、
前記コンテンツ鍵を暗号化及び復号することができる個人鍵によりコンテンツ鍵を暗号化する第２ステップと、
暗号化された前記コンテンツ鍵と暗号化されたコンテンツとを媒体に記録するステップと、
前記個人鍵を取得し、前記媒体中の前記コンテンツ鍵を前記個人鍵により復号し、得られた前記コンテンツ鍵により前記コンテンツを復号することにより前記コンテンツを記録又は再生する第３ステップと、を有し、
前記個人鍵に、前記コンテンツの記録又は再生に関する制限情報が含まれていることを特徴とするコンテンツの記録再生方法。
【請求項２】
前記第２のステップは、異なる複数の個人鍵により前記コンテンツ鍵を暗号化するステップを含み、
前記第３のステップにおいて、前記異なる複数の個人鍵のうち少なくともいずれか１つを取得することにより、前記コンテンツ鍵を復号可能であることを特徴とする請求項１に記載のコンテンツの記録再生方法。
【請求項３】
前記個人鍵は、個人の所持する携帯端末によって作成又は取得され、前記携帯端末から送られることにより前記第３のステップにおいて利用されることを特徴とする請求項１又は２に記載のコンテンツの記録再生方法。
【請求項４】
さらに、個人鍵の受け渡しに先立って、コンテンツの再生側と携帯端末側とで相互認証を行うステップを有することを特徴とする請求項３に記載のコンテンツの記録再生方法。
【請求項５】
デジタル放送の番組受信方法であって、
受信契約により登録されたキーに基づいてコンテンツを暗号化するステップと、
配信された前記暗号化されたコンテンツを、前記キーであって前記番組の受信に関する制限情報が含まれるキーにより復号することにより番組を受信するステップと
を有するデジタル放送の番組受信方法。
【請求項６】
請求項１から５までのいずれか１項に記載のステップを、コンピュータに実行させるためのプログラム。
【請求項７】
コンテンツを暗号化及び復号することができるコンテンツ鍵を生成するコンテンツ鍵生成部と、
前記コンテンツ鍵を暗号化及び復号することができる個人鍵の授受及び保持の管理を行う個人鍵管理部と、
暗号化された前記コンテンツ鍵と暗号化されたコンテンツとを媒体に記録させる記録部と、
前記個人鍵管理部に基づいて前記個人鍵を取得し、前記媒体中の前記コンテンツ鍵を前記個人鍵により復号し、得られた前記コンテンツ鍵により前記コンテンツを復号することにより前記コンテンツを記録又は再生する記録再生部とを有するコンテンツの記録再生システムにおいて、
前記個人鍵に、前記コンテンツの記録又は再生に関する制限情報が含まれ、該制限情報に基づいて記録再生処理が行われることを特徴とするコンテンツの記録再生システム。
【請求項８】
暗号化されたコンテンツを復号することができるコンテンツ鍵を復号することができる個人鍵であって、前記コンテンツの記録又は再生に関する制限情報が含まれていることを特徴とする個人鍵。
【請求項９】
前記制限情報は書き換え可能であることを特徴とする請求項８に記載の個人鍵。
【請求項１０】
請求項８又は９に記載の暗号化されたコンテンツが入力された際に、前記暗号化されたコンテンツを復号する前記個人鍵を記憶している場合にのみ前記コンテンツの再生が可能になるように制御される再生制御部を有する記録再生装置。
【発明の詳細な説明】
【技術分野】
【０００１】
本発明は、記録型ＣＤやＤＶＤ、メモリカード、Ｐ２Ｐなどの記録メディア装置に関し、特に、グループ内でコンテンツの貸し借りを行うことができる記録メディア装置に関する。
【背景技術】
【０００２】
従来から、記録型のＣＤ（ＣＤＲ又はＣＤＲＷ）や記録型のＤＶＤ（ＤＶＤ−Ｒなど）、また、Ｐ２Ｐなどのコンピュータ同士を直接接続して、お互いの持つ情報をやり取りする通信形式であって例えばパーソナルコンピュータ（以下ＰＣ）同士を接続する形式、ＢＣＡＳ（Ｂｒｏａｄ  Ｃａｓｔ  Ａｃｃｅｓｓ  ｓｙｓｔｅｍ）形式などのシステムが知られている。これらのシステムは、コンテンツなどの情報を簡単に複写することができるため、便利に利用されている。
【０００３】
例えば、蓄積媒体に蓄積されているコンテンツの著作権および権利を保護するために、蓄積媒体内および可搬中のコンテンツの著作権、権利保護を行うために、送信側で、コンテンツを暗号化し、その鍵をメタデータに格納し、メタデータを異なる鍵で暗号化し、暗号化コンテンツと暗号化メタデータセットで配信する。受信端末に受信された暗号化コンテンツと暗号化メタデータは、まず、暗号化メタデータを復号し、コンテンツの鍵を入手し受信端末内のセキュリティが守られた鍵テーブルに保持する。次にメタデータをコンテンツと同じ鍵で再暗号化し、暗号化コンテンツと暗号化メタデータをＨＤＤに蓄積する。視聴コンテンツが選択されると、メタデータをＨＤＤから読み込み、鍵テーブルから鍵を入手し復号する。その後、視聴契約を行い、コンテンツとメタデータの鍵を個人用可搬ＣＡモジュールに格納する。その後、コンテンツの鍵を用いて暗号化コンテンツを復号し、視聴可能となる技術が開示されている（例えば特許文献１参照）。
【０００４】
【特許文献１】特開２００２−１７６４１９号公報
【発明の開示】
【発明が解決しようとする課題】
【０００５】
しかしながら、上記の技術は非常に便利ではあるが、一方において著作権保護という観点からは問題を有している。例えば、ＤＶＤやＢＣＡＳでは、著作権保護の範囲が限定されたものとなっている。また、Ｐ２Ｐでは、著作権保護に関しては考慮されていない。これは、コンテンツの２次流通を考慮していないためである。記録・録画したコンテンツを、個人毎に視聴制限することは難しい。
【０００６】
また、知り合いや仲間とのグループ内においてコンテンツの媒体を個人的に貸し借りすることは、著作権保護に関して緩やかな適用が望ましいが、著作権法においては、この点に関して明確には定義されておらずグレーゾーンと言える。
【０００７】
これに対して、顧客管理サーバなどを用いてライセンス管理を行う仕組みは存在するが、顧客管理サーバを設けて管理する必要があるため、設備が大がかりになりコストも高くつくという問題がある。
【０００８】
図７は、録画したコンテンツを再生する一般的なコンテンツ記録メディアシステムの概略を示す図である。図７に示すように、一般的な記録メディアシステム１００において、例えば、第１記録再生装置１０１と、第２記録再生装置１０３と、第３記録再生装置１０５と、のようにそれぞれ同種の複数の記録再生装置が含まれる。また、ここでは、第１から第３までの記録再生装置１０１、１０３、１０５において記録又は再生の少なくともいずれか一方に対応可能な記録メディア１０７を考える。第１記録再生装置１０１において、コンテンツを記録した記録メディア１０７は、第２及び第３のいずれの記録再生装置１０３，１０５においても再生が可能である。すなわち、記録メディアに対応する記録再生装置であれば、いずれの記録再生装置においても記録・再生処理が可能である。この場合には、記録・再生に関する制限がない。
【０００９】
図８は、ＩＣカード方式のコンテンツ記録メディアシステムの構成例を示す図である。図８に示すコンテンツ記録メディアシステム２００においては、ユーザが、管理センター２０１との間で受信契約を行うと、例えばコンテンツ配信会社の管理センター２０１から個人鍵２０３又はそれに関する情報が渡される。さらに、管理センター２０１からは、施錠され個人鍵２０３によってロックを解除することができるコンテンツ２０４が配信される（例えば、番組Ａ、Ｂ）。コンテンツ２０４に付随する鍵マーク２０３ａはコンテンツに錠がかけられていることを意味し、さらに、個人キー２０３によってロックを解除することができることを意味する。尚、個人鍵２０３による施錠とは、記録メディア又はコンテンツが個人鍵２０３によって暗号化され、個人キー２０３によって復号が可能な鍵情報であって、これを復号することによってコンテンツを記録再生することができることを意味する。或いは、パスワードによる保護を解除する形式でも良く、この点に関しては。以後同様に解釈される。
【００１０】
また、管理センター２０１から送られた、個人鍵２０３により施錠された番組Ａ又は番組Ｂのそれぞれは、受信機２１１により受信するか或いは記録再生装置２０５により受信することができる。この際、受信機２１１又は記録再生装置２０５により受信された番組は、ユーザに１枚だけ貸与されたＩＣカード２０７（個人鍵データ２０３が記録されている）を受信機２１１又は記録再生装置２０５に差し込むことにより、コンテンツの錠２０３ａを解除することができる。
【００１１】
尚、この場合、ＩＣカード２０７は１枚だけ貸与される。このＩＣカード２０７を記録再生装置２０５に差し込めば、番組Ａをテレビ２１１で視聴することができる。しかしながら、上述のようにＩＣカード２０７は１枚のみしか貸与されないため、記録再生装置２０５にＩＣカード２０７を差し込んだ場合には、同時に別の記録再生装置２１７にＩＣカードを差し込むことはできない。
【００１２】
従って、番組Ａと同時に放送される番組Ａとは異なる番組Ｂを同時に視聴することはできない。尚、個人鍵データを渡すことにより視聴許可を行うことも考えられるが、管理者などから貸与された個人鍵データは、記録装置内に保持されているため受け渡しや使用制限の変更が行いにくく、管理が煩雑になる。
【００１３】
本発明は、著作権の問題を考慮しつつ、グループ内でのコンテンツの貸し借りを行うための仕組みを提供することを目的とする。
【課題を解決するための手段】
【００１４】
本発明では、記録メディアにコンテンツを記録する際に、個人鍵を暗号化し、個人鍵には、著作権所有者の意図に沿った貸し借りの制限・条件を示す使用制限情報を追加的に記録する。
著作権者を保護しつつ、同じ仲間内では著作権の適用を緩やかにするようにする。
【００１５】
本発明の一観点によれば、コンテンツを暗号化及び復号することができるコンテンツ鍵によりコンテンツを暗号化する第１ステップと、前記コンテンツ鍵を暗号化及び復号することができる個人鍵によりコンテンツ鍵を暗号化する第２ステップと、暗号化された前記コンテンツ鍵と暗号化されたコンテンツとを媒体に記録するステップと、前記個人鍵を取得し、前記媒体中の前記コンテンツ鍵を前記個人鍵により復号し、得られた前記コンテンツ鍵により前記コンテンツを復号することにより前記コンテンツを記録又は再生する第３ステップと、を有し、前記個人鍵に、前記コンテンツの記録又は再生に関する制限情報が含まれていることを特徴とするコンテンツの記録再生方法が提供される。前記第３ステップにおいて、前記制限情報に基づく処理が行われる。或いは、個人鍵の使用時に制限されるようにしても良い。
【発明の効果】
【００１６】
本発明によれば、複雑なシステム構成とする必要が無く、コンテンツを記録再生するために必要な個人鍵に付加情報を設けることができる。この付加情報に基づいて処理を行うことができ、緩やかな著作権保護のもとで、メディア（コンテンツ）の弾力的な活用が可能となるという利点がある。
【００１７】
また、ユーザ側では、上記制限下において、グループ内の友人などに有る範囲でコンテンツの利用を行わせるための手段を得ることができるという利点がある。
【発明を実施するための最良の形態】
【００１８】
本発明に係るコンテンツの再生記録システムにおいては、記録メディア又はコンテンツ・番組（以下、「メディア」と称する。）などに対して記録再生制限を課すための制限情報を、個人鍵に記録しておく。
【００１９】
さらに、個人鍵を用いてコンテンツ鍵を秘匿化（以下、「暗号化」と称するが、パスワードなどによる秘匿化を排除するものではなく、秘匿化の技術に関しては公知の技術を適用することができる。）する。このコンテンツ鍵によりコンテンツを暗号化する。これにより、コンテンツ鍵によって暗号化（ロック）されたコンテンツ情報は、個人鍵により解読（復号）されたコンテンツ鍵によって復号（解読）することができるようになる。これにより、個人鍵を有する複数のユーザが、コンテンツ鍵を手に入れることができるようになる。
【００２０】
個人鍵を用いて入手したコンテンツ鍵により、暗号化されたコンテンツを復号（解読）し、記録・再生を行うことが可能になる。この際、個人鍵に記録再生制限を課すための制限情報が付加されているため、例えば、コンテンツ鍵の復号が可能であるという点では基本的に同じ情報を有する個人鍵に関して、その送り先、又は、送ることが出来る回数等の制限情報を付加情報として記憶させておき、これに基づいて個人鍵の使用制限を課し、コンテンツ鍵の復号を制限することで、コンテンツの視聴などを制限することができる。
【００２１】
これにより、たとえ記録メディアやコンテンツなどを入手できたとしても、記録メディアはコンテンツ鍵を入手できない限り復号できず、かつ、コンテンツ鍵を入手するためには、個人鍵を用いる必要があるため、例えば、個人鍵情報を記憶する記録再生装置によってのみ、上記記録メディア又はコンテンツを再生することができるか、或いは、記録情報を複写することができるように設定することが可能となる。
【００２２】
以下、本発明の実施の形態による記録メディア装置について図面を参照しつつ説明を行う。図１は、本発明の第１の実施の形態によるコンテンツの再生記録システムの構成例を示す図である。図５は、本実施の形態による個人鍵情報の内容に関する例を示す。図６は、個人鍵情報における制限情報の割当て方の一例を示す図である。
【００２３】
図５に示すように、個人鍵情報１５には、復号・暗号化情報５１と、付加情報５３である、コピー回数制限情報５３ａ、有効期間制限情報５３ｂと、視聴制限５３ｃと、鍵分割許可情報５３ｄとを含む情報と、電子署名５５とが記録されている。このうち、付加情報５３は、著作権者の許諾によって設定される情報である。図５に示す情報を有する個人鍵を用いることにより、コンテンツの利用制限を課すことができる。
【００２４】
図６に示すように、個人鍵の使用可能時間を横軸に、個人鍵を実質的に使用できる人数を縦軸にとると、実際には１人で用いる場合には、６時から９時までの全時間帯を１人で使用することができる（図の斜線部）。これを、７時から８時までの間は２人で使用できるようにした場合は、図に示すように８時から９時の間には１人も使用できないようにすれば、全体として斜線部と同じ使用頻度となり、特に問題がない。尚、時間帯により重み付けをしたり、使用可能人数に制限を付したりすることも可能である。
【００２５】
図１に示すように、本実施の形態による記録メディアシステム１０は、記録再生装置５、７、９と、携帯端末（携帯電話）３とを含む。記録メディア１１に対して再生可能範囲や時期的制限などの任意の制限情報を付加情報として有する個人鍵１５を用いて、記録再生装置５によりコンテンツ鍵１７を暗号化し、コンテンツ鍵１７を用いて暗号化された（施錠された）コンテンツ鍵を記録する記録メディア１１を作成する。この際、個人鍵１５は、コンテンツを暗号化・復号する機能を有するとともに、一定の条件下においては、個人鍵１５によって課せられた制限を解除することができる。また、個人鍵１５をユーザが所持する送信装置（図では携帯電話）３から記録再生装置５、７に対して送ることが出来る。
【００２６】
図１に示す例では、記録再生装置５のユーザは、例えばユーザからの申請により著作権者から貸与されるユーザの個人鍵（情報）１５を携帯電話３から取得する。ユーザは、自己が所持する記録再生装置５により記録メディア１１内にコンテンツ情報を記録する際に、個人鍵１５を用いてコンテンツ鍵１７の暗号化と復号とを行うことができる。また、コンテンツ鍵１７を用いると、コンテンツを暗号化することができ、この暗号化されたコンテンツを記録メディア１１内に記録することができる。
【００２７】
記録メディア１１内には、コンテンツ鍵１７によって暗号化されたコンテンツが記録されている。このように施錠されたコンテンツを再生する場合には、ユーザは、予め記録再生装置７に対して個人鍵１５を送り、装置７に記憶させておく。次いで、記録再生装置７に、上記コンテンツ鍵１７によって暗号化されたコンテンツを記憶する記録メディア１１が挿入されると、記録再生装置７に記憶されている個人鍵１５によって暗号化されているコンテンツ鍵１７ａが復号（解読）され、コンテンツ鍵１７を入手することができる、このコンテンツ鍵１７を用いて、暗号化コンテンツＫｃ（Ｃ）を復号し、記録メディア１１中のコンテンツを再生することができる。
【００２８】
本実施の形態においては、個人鍵には、付加情報としてコンテンツの視聴などに関する有効期限情報や、複写回数制限情報などの付加情報も記録させておくことにより、使用制限の規定及び変更などが可能になる。暗号化されたコンテンツ鍵を記録させた記録メディア１１を、仲間に貸与するか又は複写したメディアを譲渡する場合には、貸与又は譲渡したい仲間には、ロックを解除するための個人鍵１５を送る。仲間は自己の所持する記録再生装置７に個人鍵情報１５を記憶させる。この際、携帯電話３と記録再生装置７との間では相互認証を行うのが好ましい（図５を参照して後述する）。
【００２９】
これにより、コンテンツ鍵１７により暗号化されたコンテンツを記録する記録メディア１１を記録再生装置７が保持する個人鍵１５に基づいて再生できる状態にすることができる。従って、記録メディア１１を、記録再生装置７により再生することができる。但し、再生回数制限やメディアの一部のみを再生することが許可される再生範囲制限があれば、その範囲でのみ再生が行われる。一方、他の記録再生装置９は、携帯電話３から記録メディア１１のロックを解除するためのコンテンツ鍵１７ａを復号するための個人鍵１５を所持していないため、同じ記録メディア１１を入手した場合においても、記録再生装置９により記録メディア１１を再生することはできない。
【００３０】
以上のように、本実施の形態による記録メディアシステムにおいては、個人鍵に付された使用に関する制限を課すことができるとともに、記録再生装置などに対して個人鍵が渡されるか否かでどの程度まで記録再生処理を許容するかを決めることができるため、携帯電話３から個人鍵を送る対象又は回数に制限を付すことができる。また、記録メディアに個人鍵情報を記録させる際に、記録や複写に関する種々の制限を記録させておくことで、これらの制限の元でのみ記録再生処理を行うことができるようにすることができ、著作権許諾者の意図に沿った制限に基づく記録再生のみが許可されることになる。
【００３１】
次に、本発明の第２の実施の形態によるコンテンツの再生記録システムについて図面を参照しつつ説明を行う。図２は、本発明の第２の実施の形態による記録再生装置を含む記録メディアシステムの構成例を示す図である。図２に示すように、本実施の形態による記録メディアシステム２０は、３台の記録再生装置５、７、９と、記録再生装置に個人キー１５、１６を送ることが出来る２台の携帯電話３ａ、３ｂとを有している。携帯電話３ａは個人鍵１５を、携帯電話３ｂは個人鍵１６を保持している。
【００３２】
携帯電話３ａから記録再生装置５及び７に、個人鍵１５をそれぞれ送り、携帯電話３ｂから記録再生装置５及び９に個人鍵１６を送る。ユーザは、記録メディア１１に対して再生可能範囲や時期的制限などの任意の制限情報を記録するための個人鍵１５と個人鍵１６とを用いて、記録再生装置５によりコンテンツ鍵１７、１８を暗号化し、暗号化前のコンテンツ鍵１７、１８を用いてコンテンツを暗号化して、暗号化されたコンテンツ鍵１７、１８と暗号化されたコンテンツとを記録メディア１１に記録する。この際、個人鍵１５、１６は、コンテンツ鍵を暗号化・復号する機能を有するとともに、一定の条件下において個人鍵１５、１６によって課せられた制限を解除することができる。
【００３３】
図２に示す例では、記録再生装置７のユーザは、個人鍵（情報）１５を携帯電話３ａから取得する。ユーザは、自己が所持する記録再生装置７により記録メディア１１内にコンテンツ情報を再生する際に、個人鍵１５を用いてコンテンツ鍵１７を復号し、コンテンツ鍵１７を取り出す。このコンテンツ鍵１７を利用してコンテンツを復号し、復号されたコンテンツを再生する。上記の処理に当たっては、個人鍵１５における制限が課せられる。また、記録再生装置９のユーザは、個人鍵（情報）１６を携帯電話３ｂから取得する。ユーザは、自己が所持する記録再生装置９により記録メディア１１内にコンテンツ情報を再生する際に、個人鍵１６を用いてコンテンツ鍵１８を復号し、コンテンツ鍵１８を取り出す。このコンテンツ鍵１８を利用してコンテンツを復号し、復号されたコンテンツを再生することができる。上記の処理に当たっては、個人鍵１６における制限が課せられる。
【００３４】
このように、本実施の形態によるコンテンツの再生記録システムによれば、記録メディアに対する施錠を携帯電話から取得した個人キーにより開くことができ、この個人鍵を複数有しているため、これらをグループ内の異なるユーザに貸与することができ、異なるユーザはそれぞれが所持する個人鍵に基づいて記録メディアのコンテンツを復号するコンテンツ鍵を入手し、コンテンツの暗号化を解除し記録メディアの再生や記録のための処理を行うことができる。
【００３５】
次に、本発明の第３の実施の形態によるコンテンツの再生記録システムについて図面を参照しつつ説明を行う。図３は、本発明の第３の実施の形態による記録メディア記録再生システムの構成例を示す図である。図３に示すように、本実施の形態による記録メディアシステム３０は、メディアが放送局３２から配信されるため、個人鍵３５のみを考慮すれば良い。このシステムにおいても、送信装置（図では携帯電話）３が、記録再生装置２７ａ、２７ｂに対して個人鍵３５を送ることができる。
【００３６】
まず、放送局３２との間の受信契約の際に、ユーザの個人鍵３５を放送局３２に登録する。放送局３２からのコンテンツ（番組）３８は、個人鍵３５により暗号化されて配信され、受信機３１ａ又は記録再生装置２７ａにおいて、個人鍵３５を用いてコンテンツ鍵２９を暗号化することができる。コンテンツ鍵２９により暗号化されたコンテンツ（番組）が配信される。コンテンツに付随する暗号化されたコンテンツ鍵２９は、個人鍵３５により復号され、得られたコンテンツ鍵によりコンテンツを復号することができる。
【００３７】
この場合、例えば、個人鍵情報ＫＡ（Ｋｃ）には、使用可能時期として２００３年１月から３月までが、個人鍵情報ＫＢ（Ｋｃ）には、使用可能時期として２００３年４月から５月までが記録されていれば、携帯電話３から送られた個人鍵３５により上記使用可能時期情報に記載されている時期的制限を読み取り、使用可能時期情報に記載されている時期的制限に基づき期間のみ使用が可能となる。本実施の形態によるシステムでは、個人鍵の付加情報により、著作権所有者の許す範囲で使用制限を変更することができる。
【００３８】
以下には、上記各実施の形態における相互認証方法について図面を参照しつつ説明を行う。携帯電話と記録再生装置との間の相互認証を行った後に個人鍵の受け渡しを行うのがセキュリティー上も好ましい。そこで、図４に、相互認証の流れの遷移図を示す。図４に示すように、まず、携帯電話３から記録再生装置７に対して、記録再生装置認証信号が送られる。これに対して、記録再生装置７から携帯電話３に対して、携帯電話認証信号が送られる。これにより相互認証が完了し、この時点５７より暗号化通信が開始できる。その後に、携帯電話３から記録再生装置７に対して、個人鍵の受け渡し５５が行われ、以後の記録・再生処理が可能になる。
【００３９】
以上、本発明の各実施の形態による記録メディア記録再生システムによれば、複雑なシステム構成にする必要が無く、コンテンツを記録再生するために必要な個人鍵に付加情報が設けられ、この付加情報に、複数のユーザに使用させる際の制限事項が記載されているため、この制限に沿ってのみ処理を行うことができ、緩やかな著作権保護のもとで、メディア（コンテンツ）の弾力的な活用が可能となるという利点がある。ユーザ側では、上記制限下において、グループ内の友人などに有る範囲でコンテンツの利用を行わせるための手段を得ることができるという利点がある。また、携帯端末により個人鍵を授受するため、処理が簡単になるという利点がある。尚、鍵の交換又は授受を行う場合には、相互認証処理を行うことで、不正な利用を防止することができる。
【産業上の利用可能性】
【００４０】
本発明は、種々のコンテンツの配信などに用いることができる。テレビ携帯電話を用いた動画配信サービスや地上デジタル放送にも対応可能である。
【図面の簡単な説明】
【００４１】
【図１】本発明の第１の実施の形態によるコンテンツの再生記録システムの構成例を示す図である。
【図２】本発明の第２の実施の形態による記録再生装置を含む記録メディアシステムの構成例を示す図である。
【図３】本発明の第３の実施の形態による記録メディア記録再生システムの構成例を示す図である。
【図４】本実施の形態による相互認証の流れの遷移図である。
【図５】本実施の形態による個人鍵情報の内容に関する例を示す。
【図６】個人鍵情報における制限情報の割当て方の一例を示す図である。
【図７】録画したコンテンツを再生する一般的なコンテンツ記録メディアシステムの概略を示す図である。
【図８】ＩＣカード方式のコンテンツ記録メディアシステムの構成例を示す図である。
【符号の説明】
【００４２】
１０…記録メディアシステム、３…携帯電話、５、７、９…記録再生装置、１１…記録メディア、１５…個人鍵、１７…コンテンツ鍵。
【図２】
2005149234.tif 000003
【図３】
2005149234.tif 000004
【図４】
2005149234.tif 000005
【図５】
2005149234.tif 000006
【図６】
2005149234.tif 000007
【図７】
2005149234.tif 000008
【図１】
2005149234.tif 000009
【図８】
2005149234.tif 000010